(57)【要約】【課題】脈波伝播速度や自律神経活動度指標等を用いた場合と比較して、より簡便な方法により生体の循環機能を診断する。【解決手段】血圧値の変化率のばらつき度合いと脈拍数の変化率のばらつき度合いとの関係に基づいて、被測定者の血管の硬化度を判定する。例えば、血圧値の変化率の標準偏差と脈拍数の変化率の標準偏差との比に基づいて、被測定者の血管の硬化度を判定する。また、脈拍数の変化率に対する血圧値の変化率の関係を一次関数により近似し、この一次関数の傾きに基づいて、被測定者の循環機能を判定する。【選択図】図４
2010005004.tif 000002
【特許請求の範囲】
【請求項１】
生体の血圧値を測定する血圧測定手段と、
前記生体の脈拍数を測定する脈拍測定手段と、
前記血圧測定手段および前記脈拍測定手段により測定された、生体に負荷が与えられる前の血圧値および脈拍数をそれぞれ基準値とする手段と、
前記血圧測定手段により測定された血圧値の基準値からの変化率と、前記脈拍測定手段により測定された脈拍数の基準値からの変化率を算出する算出手段と、
前記算出手段により算出された血圧値の変化率と脈拍数の変化率との関係に基づいて前記生体の循環機能を判定する判定手段と、
を有する循環機能診断システム。
【請求項２】
血圧測定手段により測定された生体の血圧値および脈拍数測定手段により測定された脈拍数を受け付ける受付手段と、
前記受付手段により受け付けられた、生体に負荷が与えられる前の血圧値および脈拍数をそれぞれ基準値とする手段と、
前記受付手段により受け付けられた血圧値の基準値からの変化率と、前記受付手段により受け付けられた脈拍数の基準値からの変化率を算出する算出手段と、
前記算出手段により算出された血圧値の変化率と脈拍数の変化率との関係に基づいて前記生体の循環機能を判定する判定手段と、
を有する循環機能診断システム。
【請求項３】
前記判定手段は、血圧値の変化率のばらつき度合いと脈拍数の変化率のばらつき度合いとの関係に基づいて、前記生体の血管の硬化度を判定する請求項１または２記載の循環機能診断システム。
【請求項４】
前記判定手段は、血圧値の変化率のばらつき度合いとして血圧値の変化率の標準偏差を用い、脈拍数の変化率のばらつき度合いとして脈拍数の変化率の標準偏差を用いて、前記生体の血管の硬化度を判定する請求項３記載の循環機能診断システム。
【請求項５】
前記判定手段は、脈拍数の変化率に対する血圧値の変化率の関係を一次関数に近似した際の、該一次関数の傾きに基づいて、前記生体の循環機能を判定する請求項１または２記載の循環機能診断システム。
【請求項６】
血圧測定手段により生体の血圧値を測定するステップと、
脈拍数測定手段により前記生体の脈拍数を測定するステップと、
前記血圧測定手段および前記脈拍測定手段により測定された、生体に負荷が与えられる前の血圧値および脈拍数をそれぞれ基準値とするステップと、
前記血圧測定手段により測定された血圧値の基準値からの変化率と、前記脈拍測定手段により測定された脈拍数の基準値からの変化率を算出するステップと、
算出された血圧値の変化率と脈拍数の変化率との関係に基づいて前記生体の循環機能を判定するステップとをコンピュータに実行させるためのプログラム。
【請求項７】
血圧測定手段により測定された生体の血圧値および脈拍数測定器により測定された脈拍数を受け付けるステップと、
受け付けられた生体に負荷が与えられる前の血圧値および脈拍数をそれぞれ基準値とするステップと、
受け付けられた血圧値の基準値からの変化率と、受け付けられた脈拍数の基準値からの変化率を算出するステップと、
算出された血圧値の変化率と脈拍数の変化率との関係に基づいて前記生体の循環機能を判定するステップとをコンピュータに実行させるためのプログラム。
【発明の詳細な説明】
【技術分野】
【０００１】
本発明は、生体の血管機能、心機能、腎機能等の循環機能を診断するための循環機能診断システムに関する。
【背景技術】
【０００２】
近年、食生活の変化や、運動不足、高齢化等に伴い動脈硬化症が増加している。このような動脈硬化症を防ぐためには、動脈硬化がどの程度進行しているかを診断する必要がある。動脈硬化の程度を診断するための方法としては、脈波伝播速度（以下、ＰＷＶ（Pulse Wave Velocity）と略す。）を用いて動脈の硬化度を測定する方法が知られている（例えば、特許文献１参照。）。このＰＷＶとは、心臓が血液を駆出する時に発生する脈波が血管壁を伝播する速度である。
【０００３】
動脈硬化が進行した血管は硬いためＰＷＶが速くなり、動脈硬化が進行していない血管は柔軟性に富むためＰＷＶは遅くなる。そのため、被測定者のＰＷＶを測定することにより、動脈硬化の進行度合いを診断することが可能となる。
【０００４】
また、特許文献２には、生体の心電を測定することにより自律神経活動度を算出し、この自律神経活動度に対する血圧値の変化の度合いに基づいて血管機能を判定する方法も提案されている。
【０００５】
【特許文献１】特開２００３−２５０７６９号公報
【特許文献２】特許第４０９１９７２号公報
【発明の開示】
【発明が解決しようとする課題】
【０００６】
しかし、上記特許文献１、２に開示された方法では、脈波伝播速度や自律神経活動度指標を用いて動脈硬化度等の循環機能を診断しているため、圧脈波センサや、心電を測定するための複数の電極を被測定者に装着する必要がある。しかし、圧脈波センサや複数の電極を被測定者の特定の部位に装着する作業には、ある程度の知識や経験が必要であり、また被測定者自身で行う場合には正確性が欠ける等の弊害がある。
【０００７】
そのため、従来の技術では、生体の循環機能を診断しようとした場合、被測定者が病院等の特定の場所に出向いて測定を行うことが要求され、生体の循環機能を診断するためには手間がかかるという問題点を有していた。
【０００８】
そこで、本発明は、脈波伝播速度や自律神経活動度指標を用いた場合と比較して、より簡便な方法により生体の循環機能を診断することが可能な循環機能診断システムおよびプログラムを提供することを目的とする。
【課題を解決するための手段】
【０００９】
［循環機能診断システム］
上記目的を達成するために、本発明の循環機能診断システムは、生体の血圧値を測定する血圧測定手段と、
前記生体の脈拍数を測定する脈拍測定手段と、
前記血圧測定手段および前記脈拍測定手段により測定された、生体に負荷が与えられる前の血圧値および脈拍数をそれぞれ基準値とする手段と、
前記血圧測定手段により測定された血圧値の基準値からの変化率と、前記脈拍測定手段により測定された脈拍数の基準値からの変化率を算出する算出手段と、
前記算出手段により算出された血圧値の変化率と脈拍数の変化率との関係に基づいて前記生体の循環機能を判定する判定手段とを有する。
【００１０】
本発明によれば、比較的誰にでも容易に測定することができる血圧値と脈拍数のみに基づいて循環機能の診断が行われる。そのため、本発明によれば、脈波伝播速度や自律神経活動度指標等に基づいて循環機能の診断を行う場合と比較して、より簡便な方法により循環機能の診断を行うことが可能となる。
【００１１】
また、本発明の循環機能診断システムは、血圧測定手段により測定された生体の血圧値および脈拍数測定手段により測定された脈拍数を受け付ける受付手段と、
前記受付手段により受け付けられた、生体に負荷が与えられる前の血圧値および脈拍数をそれぞれ基準値とする手段と、
前記受付手段により受け付けられた血圧値の基準値からの変化率と、前記受付手段により受け付けられた脈拍数の基準値からの変化率を算出する算出手段と、
前記算出手段により算出された血圧値の変化率と脈拍数の変化率との関係に基づいて前記生体の循環機能を判定する判定手段とを有する。
【００１２】
さらに、前記判定手段は、血圧値の変化率のばらつき度合いと脈拍数の変化率のばらつき度合いとの関係に基づいて、前記生体の血管の硬化度を判定するようにしてもよい。
【００１３】
さらに、前記判定手段は、血圧値の変化率のばらつき度合いとして血圧値の変化率の標準偏差を用い、脈拍数の変化率のばらつき度合いとして脈拍数の変化率の標準偏差を用いて、前記生体の血管の硬化度を判定するようにしてもよい。
【００１４】
さらに、前記判定手段は、脈拍数の変化率に対する血圧値の変化率の関係を一次関数に近似した際の、該一次関数の傾きに基づいて、前記生体の循環機能を判定するようにしてもよい。
【００１５】
［プログラム］
本発明のプログラムは、血圧測定手段により生体の血圧値を測定するステップと、
脈拍数測定手段により前記生体の脈拍数を測定するステップと、
前記血圧測定手段および前記脈拍測定手段により測定された、生体に負荷が与えられる前の血圧値および脈拍数をそれぞれ基準値とするステップと、
前記血圧測定手段により測定された血圧値の基準値からの変化率と、前記脈拍測定手段により測定された脈拍数の基準値からの変化率を算出するステップと、
算出された血圧値の変化率と脈拍数の変化率との関係に基づいて前記生体の循環機能を判定するステップとをコンピュータに実行させる。
【００１６】
さらに、本発明のプログラムは、血圧測定手段により測定された生体の血圧値および脈拍数測定器により測定された脈拍数を受け付けるステップと、
受け付けられた生体に負荷が与えられる前の血圧値および脈拍数をそれぞれ基準値とするステップと、
受け付けられた血圧値の基準値からの変化率と、受け付けられた脈拍数の基準値からの変化率を算出するステップと、
算出された血圧値の変化率と脈拍数の変化率との関係に基づいて前記生体の循環機能を判定するステップとをコンピュータに実行させる。
【発明の効果】
【００１７】
以上説明したように、本発明によれば、脈波伝播速度や自律神経活動度指標等に基づいて循環機能の診断を行う場合と比較して、より簡便な方法により循環機能の診断を行うことが可能になるという効果を得ることができる。
【発明を実施するための最良の形態】
【００１８】
次に、本発明の実施の形態について図面を参照して詳細に説明する。図１は本発明の一実施形態の循環機能診断システムの構成を示すブロック図である。
【００１９】
本実施形態の循環機能診断システムは、図１に示されるように、マンシェット（またはカフ）８と、圧力センサ９と、生体である被測定者の血圧値を測定する血圧測定器１２と、被測定者の脈拍数を測定する脈拍測定器１３と、制御装置１８と、記憶装置２０と、生体情報を表示するための表示装置２２とから構成されている。
【００２０】
血圧測定器１２は、被測定者の上腕に巻かれたマンシェット８を加圧、減圧して最高血圧（収縮期血圧）（ＳＹＳ：systolic blood pressure）と最低血圧（拡張期血圧）（ＤＩＡ：diastolic blood pressure）を自動的に測定する。脈拍測定器１３は、例えば被測定者の橈骨動脈に当てられた圧力センサ９により脈拍数（ＰＲ）を測定する。また、圧力センサ９の代わりにパルスオキシメータを用いても脈拍を測定することができる。
【００２１】
制御装置１８は、例えばコンピュータからなり、血圧測定器１２及び脈拍測定器１３により得られた生体情報を処理し、この処理した情報を記憶装置２０に記憶し、あるいは表示装置２２に表示する。
【００２２】
さらに、制御装置１８は、血圧測定器１２および脈拍測定器１３により測定された、被測定者に負荷が与えられる前の血圧値および脈拍数をそれぞれ基準値とする。そして、制御装置１８は、被測定者に対して何らかの負荷が与えられた状態において血圧測定器１２により測定された血圧値の基準値からの変化率（変動率）と、脈拍測定器１３により測定された脈拍数の基準値からの変化率（変動率）を算出する。そして、制御装置１８は、算出された血圧値の変化率と脈拍数の変化率との関係に基づいて被測定者の循環機能を判定する。
【００２３】
具体的には、制御装置１８は、血圧値の変化率のばらつき度合いと脈拍数の変化率のばらつき度合いとの関係に基づいて、被測定者の血管の硬化度を判定する。ここで、血圧値の変化率のばらつき度合いや、脈拍数の変化率のばらつき度合いの具体的な一例としては、血圧値の変化率の標準偏差や、脈拍数の変化率の標準偏差を用いることできる。
【００２４】
また、制御装置１８は、脈拍数の変化率に対する血圧値の変化率の関係を一次関数（近似直線）により近似し、この一次関数の傾きに基づいて、被測定者の循環機能を判定する。
【００２５】
次に、本実施形態の循環機能診断システムの動作を図面を参照して詳細に説明する。
【００２６】
先ず、図２のフローチャートを参照して本実施形態の循環機能診断システムの動作の全体を説明する。
【００２７】
本実施形態の循環機能診断システムによる循環機能の診断を行う場合、まず、被測定者のそのままの状態において血圧測定器１２および心脈拍測定器１３により患者の生体状態の測定が行われる（ステップＳ１０１）。このステップＳ１０１において測定された血圧値、脈拍数は基準値として記憶装置２０に記憶される。そして、制御装置１８は、表示装置２２等を介して被測定者に対して負荷を与えるような指示を行う（ステップＳ１０２）。
【００２８】
ここで、被測定者に与える負荷とは、例えば、トレッドミル検査法のような運動負荷や起立試験のような負荷であっても良いし、精神的な負荷であってもよい。また、被測定者に単に同じ負荷を与えるのではなく、与える負荷の重さを変化させつつ生体情報を測定することが好ましい。例えば、被測定者に腹式呼吸や口で浅い呼吸を行う口浅式呼吸を行わせたりするようにしてもよい。ここで腹式呼吸は、被測定者に負荷を与えるための呼吸法であり、口浅式呼吸は、被測定者を安静状態とさせるための呼吸法である。
【００２９】
また、被測定者に与える負荷としては、肉体的な負荷だけでなく、被測定者が通常状態とは異なる状態に置かれることにより受ける精神的な負荷であってもよい。例えば、患者が歯科治療を受けている間に生体情報を測定し、測定された生体情報を用いて循環機能の診断を行うようにすれば、この患者が負荷を受けている間の生体情報に基づいて循環機能の診断を行うことができる。また、投薬により患者が受ける負荷であってもよい。
【００３０】
そして、制御装置１８は、上記のような負荷が被測定者に与えられた状態において、再度、血圧測定器１２および脈拍測定器１３により被測定者の生体状態の測定を行う（ステップＳ１０３）。
【００３１】
このステップＳ１０３の生体状態の測定は、例えば、一定の時間間隔で定期的に行われる。そして、この生体状態の測定は、測定が終了されるまで繰り返される（ステップＳ１０４）。
【００３２】
ステップＳ１０４において測定が終了した場合、制御装置１８は、ステップＳ１０１において測定された血圧値、脈拍数を基準値として、ステップＳ１０３において測定された血圧値、脈拍数の変化率を算出する（ステップＳ１０５）。そして、制御装置１８は、算出された血圧値の変化率と、脈拍数の変化率との関係を表示装置２２に２次元表示する（ステップＳ１０６）。
【００３３】
そして、制御装置１８は、算出された血圧値の変化率と脈拍数の変化率との関係に基づいて、被測定者の循環機能の判定を行う（ステップＳ１０７）。
【００３４】
次に、図２中の生体状態測定処理（ステップＳ１０１、Ｓ１０３）の詳細を図３のフローチャートを参照して説明する。
この生体状態測定処理では、血圧測定器１２により被測定者の最高血圧値（ＳＹＳ）が測定され（ステップＳ２０１）、脈拍測定器１３により患者の脈拍が測定される（ステップＳ２０２）。
【００３５】
すると制御装置１８では、血圧測定器１２により測定された血圧値および脈拍測定器１３により算出された脈拍数を記憶装置２０に記憶させる（ステップＳ２０３）。
【００３６】
なお、本実施形態では、被測定者の血圧値として、最高血圧値（ＳＹＳ）を測定するようにしているが、最低血圧（ＤＩＡ）を測定する場合でも本発明は適用可能である。ただし、大動脈の硬化度を診断する場合には、最高血圧値（ＳＹＳ）を用いたほうがより精度の高い診断を行うことが可能である。また、本実施形態では、被測定者の脈拍数を測定するようにしているが、心拍数を測定する場合でも本発明は同様に適用可能である。
【００３７】
本実施形態の循環機能診断システムおいて表示装置２２に表示される測定データの一例を図４に示す。図４の例では、脈拍数の基準値からの変化率を横軸とし、最高血圧値の基準値からの変化率を縦軸として、各測定データを２次元表示した場合が示されている。そして、図４では、脈拍数の基準値からの変化率と最高血圧値の基準値からの変化率の関係が最小二乗法による近似直線（一次関数）により示されている。
【００３８】
そして、本実施形態の循環機能診断システムでは、制御装置１８は、この近似直線の傾きに基づいて、被測定者の循環機能を判定し、最高血圧値の変化率のばらつき度合いと、脈拍数の変化率のばらつき度合いとの関係に基づいて、被測定者の血管機能の判定を行う。
【００３９】
制御装置１８が、最高血圧値の変化率のばらつき度合いと脈拍数の変化率のばらつき度合いとの関係に基づいて、被測定者の血管機能の判定を行う場合の判定基準の一例を図５に示す。
【００４０】
この図５に示した一例では、制御装置１８は、脈拍数の変化率のばらつき度合いを示す指標として脈拍数の変化率の標準偏差を用い、最高血圧値の変化率のばらつき度合いを示す指標として最高血圧値の変化率の標準偏差を用いている。そして、制御装置１８は、最高血圧値の変化率の標準偏差／脈拍数の変化率の標準偏差が１より大きい場合には、動脈硬化の可能性があると判定し、最高血圧値の変化率の標準偏差／脈拍数の変化率の標準偏差が１以下の場合には、動脈硬化の可能性は低いと判定する。
【００４１】
なお、ここでは説明を簡単にするために最高血圧値の変化率の標準偏差／脈拍数の変化率の標準偏差が１以上であるか否かにより動脈硬化の可能性を判定するものとして説明しているが、１以外の値により判定することも可能である。さらに、動脈硬化の判定を行う閾値を複数設け、段階的に動脈硬化の可能性を判定するようにしてもよい。例えば、上記の値が１．５以上の場合には動脈硬化の可能性が非常に高いと判定し、０．８以上１．５未満の場合には動脈硬化の可能性が有ると判定し、０．８未満の場合には動脈硬化の可能性が低いと判定するようにしてもよい。
【００４２】
なお、最高血圧値や脈拍数のばらつき度合いを示す指標として、単に上限値と下限値との差を用いるようにしてもよい。ただし、上限値と下限値との差をばらつき度合いを示す指標として用いた場合、１つの異常値により判定結果が大きく変化してしまうという弊害がある。そのため、本実施形態のようにばらつき度合いを示す指標として標準偏差を用いることにより、複数の測定データが平均値からどのようにばらついているかをより正確に判定することができる。
【００４３】
次に、動脈硬化の進行が強く疑われる場合の、最高血圧値の変化率と脈拍数の変化率の変化パターン例を図６に示す。
動脈硬化が進行すると血管の柔軟性が失われるため、血流量の変化により最高血圧値が大きく変化する。つまり、動脈硬化が進行していると血管機能の予備力が低くなり、脈拍数の変化に対して最高血圧値が大きく変化するのである。そして、脈拍数が多くなると当然血流量も増加する。つまり、動脈硬化が進行している状態では、脈拍数が多くなると最高血圧値が急激に変化する。そのため、脈拍数の変化に対して最高血圧値が大幅に変化した場合、その被測定者は動脈硬化が進行している可能性が高い。
【００４４】
図６に示した例では、脈拍数の基準値からの変化率のばらつき度合いに対して、脈拍数の基準値からの変化率のばらつき度合いが大幅に大きくなっている。そのため、図６に示した生体情報を測定した被測定者は、動脈硬化の進行が強く疑われる。
【００４５】
なお、本実施形態では、脈拍数と最高血圧値という単位が異なる２つの値の基準値からの変化率を算出し、算出された脈拍数と最高血圧値の変化率のばらつき度合いに基づいて循環機能の診断を行っている。もし、単に基準値からの変化量により同様の診断を行おうとした場合、最高血圧値と脈拍数では、それぞれｍｍＨｇ、ｂｐｍ(beats per minute)というように単位が異なるため、ばらつきの幅がどちらの値の方が大きいのかを判定することは容易ではない。しかし、本実施形態のように基準値からの変化率により表現することにより、どちらの値も増減が％（百分率）で表現されるため、ばらつきの幅の比較が容易になる。
【００４６】
上記では動脈硬化の進行程度についての診断を行う場合を説明したが、制御装置１８が、最高血圧値の変化率のばらつき幅と脈拍数の変化率のばらつき幅の関係に基づいて被測定者の循環機能の判定を行う場合の判定基準の一例を図７に示す。
【００４７】
この場合、制御装置１８は、脈拍数の基準値からの変化率と最高血圧値の基準値からの変化率の関係を最小二乗法による近似した近似直線（一次関数）の傾きに基づいて循環機能を判定する。具体的には、制御装置１８は、近似直線の傾きが０より大きい場合には循環機能は正常であると判定し、近似直線の傾きが０以下の場合には循環機能に何等かの異常がある可能性があると判定する。循環機能の異常としては、例えば、心筋梗塞、じん臓の異常、脳梗塞等の症状が考えられる。
【００４８】
次に、循環機能の異常が強く疑われる場合の、最高血圧値の変化率と脈拍数の変化率の変化パターン例を図８に示す。
通常の状態であれば脈拍数が増加すれば血圧値も増加するはずである。しかし、上記の近似直線の傾きが負である場合には、脈拍数が増加しているにもかかわらず血圧値が減少していることを意味する。このように脈拍数が増加しているのに血圧値が減少している場合、循環機能は正常ではなく何等かの異常、障害が発生していることが疑われる。そのため、本実施形態の循環機能診断システムでは、脈拍数の基準値からの変化率と最高血圧値の基準値からの変化率の関係を示す一次関数の傾きに基づいて循環機能の異常の有無を診断することができる。
【００４９】
図８に示した例では、脈拍数の基準値からの変化率と最高血圧値の基準値からの変化率の関係を示す近似直線の傾きが負になっている。そのため、図８に示した生体情報を測定した被測定者の循環機能には何等かの異常が発生していることが強く疑われる。
【００５０】
次に、実際に測定された具体的なデータ例を用いて本実施形態の循環機能診断システムについて説明する。
【００５１】
図９は、疾患の無い２０歳代のある被測定者のデータ例を示す図である。このデータ例では、脈拍数７６ｂｐｍ、最高血圧値１０５ｍｍＨｇが基準値として設定されていて、負荷時の測定値に対して、この基準値からの変化率が算出されている。
【００５２】
そして、脈拍数の変化率と最高血圧値の変化率の標準偏差を算出すると、それぞれ、１１．６、７．３となる。つまり、最高血圧値の変化率の標準偏差と脈拍数の変化率の標準偏差の比は下記のように算出される。
【００５３】
最高血圧値の変化率の標準偏差／脈拍数の変化率の標準偏差＝７．３／１１．６≒０．６３
【００５４】
このデータ例の場合には、最高血圧値の変化率の標準偏差／脈拍数の変化率の標準偏差が１以下となっているため、動脈硬化の可能性は低いと判定される。
【００５５】
次に、図９に示した測定データに基づいて生成された、最高血圧値の変化率と脈拍数の変化率の変化パターンを２次元グラフとして表現したものを図１０に示す。
【００５６】
図１０中の式Ｙ＝０．３２７８Ｘ−５．８８３８におけるＹは縦軸つまり最高血圧値の変化率を示し、Ｘは横軸つまり脈拍数の変化率を示している。つまり、最高血圧値の変化率と脈拍数の変化率の関係を示す近似直線の傾きは０．３２７８であり、この２０歳代の被測定者の循環機能には異常が無いと判定される。
【００５７】
図１１は、６０歳代のある被測定者のデータ例を２次元グラフとして表現した図である。この測定データ例では、最高血圧値の変化率と脈拍数の変化率の関係を示す近似直線の傾きが−０．５３６８となっており、循環機能に何等かの異常が発生していることが疑われる。
【図面の簡単な説明】
【００５８】
【図１】本発明の一実施形態の循環機能診断システムの構成を示すブロック図である。
【図２】本発明の一実施形態の循環機能診断システムの動作を示すフローチャートである。
【図３】図２中の生体状態測定処理（ステップＳ１０１、Ｓ１０３）の詳細を示すフローチャートである。
【図４】本発明の一実施形態の循環機能診断システムおいて表示装置２２に表示される測定データの一例を示す図である。
【図５】最高血圧値の変化率のばらつき度合いと脈拍数の変化率のばらつき度合いとの関係に基づいて被測定者の血管機能の判定を行う場合の判定基準の一例を示す図である。
【図６】動脈硬化の進行が強く疑われる場合の、最高血圧値の変化率と脈拍数の変化率の変化パターン例を示す図である。
【図７】最高血圧値の変化率のばらつき度合いと脈拍数の変化率のばらつき度合いとの関係に基づいて被測定者の循環機能の判定を行う場合の判定基準の一例を示す図である。
【図８】循環機能の異常が強く疑われる場合の、最高血圧値の変化率と脈拍数の変化率の変化パターン例を示す図である。
【図９】２０歳代のある被測定者のデータ例を示す図である。
【図１０】図９に示した測定データに基づいて生成された、最高血圧値の変化率と脈拍数の変化率の変化パターンを示す図である。
【図１１】６０歳代のある被測定者の測定データに基づいて生成された、最高血圧値の変化率と脈拍数の変化率の変化パターンを示す図である。
【符号の説明】
【００５９】
８    マンシェット
９    圧力センサ
１２    血圧測定器
１３    脈拍測定器
１８    制御装置
２０    記憶装置
２２    表示装置
Ｓ１０１〜Ｓ１０７    ステップ
Ｓ２０１〜Ｓ２０３    ステップ
【図１】
2010005004.tif 000003
【図２】
2010005004.tif 000004
【図３】
2010005004.tif 000005
【図４】
2010005004.tif 000006
【図５】
2010005004.tif 000007
【図６】
2010005004.tif 000008
【図７】
2010005004.tif 000009
【図８】
2010005004.tif 000010
【図９】
2010005004.tif 000011
【図１０】
2010005004.tif 000012
【図１１】
2010005004.tif 000013